(57)【特許請求の範囲】
【請求項１】
薬液の充填空間につながる口部を備える容器本体と、該口部を着脱可能に取り付ける装着部を有し該容器本体を倒立姿勢でもって保持するベースとを備え、該装着部に設けた注出孔から水洗トイレの手洗い付きタンクに薬液を注出する薬液注出器であって、
前記薬液注出器は、前記注出孔を閉鎖する閉塞部を備える栓体と、該栓体を連結保持するとともに手洗いカランから放出される水を受容する水受け皿とを備え、
前記水受け皿は、受容した水を一時的に収容する皿部と、該皿部を貫いて収容した水を排出する開孔とを有し、
前記ベースは、該水受け皿を弾性的に吊り下げ支持する弾性体を備え、
前記弾性体は、該水受け皿の上昇姿勢にて該閉塞部を該注出孔に押し当てる一方、該水受け皿の下降姿勢にて該注出孔を開放して薬液の注出を可能とするものである薬液注出器。
【請求項２】
前記弾性体は、前記ベース及び前記水受け皿のそれぞれに係合する一対の円環部と、該円環部の相互間を連結する弾性部とを備える合成樹脂製であって、
前記弾性部は、該円環部の周面に沿う長円環状部及び該長円環状部と各円環部との相互間をつなぐ対となる縦型連結部からなるフレームを、複数個備えるものである請求項１に記載の薬液注出器。
【請求項３】
前記水受け皿の底部外周側に、前記注出孔からの薬液を浸透させる吸水体を設け、該吸水体を、前記水受け皿に一体連結するとともに間隔をあけて設けた複数個の爪部で保持してなる請求項１又は２に記載の薬液注出器。
【発明の詳細な説明】
【技術分野】
【０００１】
本発明は、水洗トイレの手洗い付きタンクの手洗い部に載置され、手洗い部の上方に設けた手洗いカランからの給水に伴って、各種の薬液をタンク内に供給するトイレ用の薬液注出器に関するものである。
【背景技術】
【０００２】
従来より、水洗トイレの手洗い付きタンクの手洗い部に載置されて、タンク内の水に芳香剤や洗浄剤、殺菌剤等の薬液を供給する各種の薬液注出器が使用されている。このような薬液注出器としては、例えば特許文献１に記載のように、手洗いカランから放出する水によって固形状の薬剤を溶解させるとともに、液体状の薬剤を収納したボトル容器体を、上下を反転させた倒立姿勢にて保持することで、容器体に設けた漏出孔から薬液を常時漏出させて、これらの薬剤を混合させつつタンク内に供給するものが知られている。
【先行技術文献】
【特許文献】
【０００３】
【特許文献１】特開２００４−１２４４３３号公報
【発明の概要】
【発明が解決しようとする課題】
【０００４】
ところで上述した薬液注出器においては、ボトル容器体に設ける漏出孔の大きさを、薬液の種類に応じて予め設定しておくことによって均一量の薬液を常時漏出する、とするものの、所期する量の薬液を安定的に漏出させるためには、漏出孔の大きさの選定に手間がかかることが避けられない。また、薬液は、漏出に伴い液面高さが徐々に低くなるため、定まった大きさの漏出孔では、供給される薬液の量が薬液の漏出開始時と漏出終了時とでは変わってしまう懸念がある。このため、所期する量の薬液を、簡単にしかも安定的に供給することができる新たな薬液注出器の出現が強く望まれていた。
【０００５】
本発明の課題は、各種の薬液を、水洗トイレの手洗い付きタンク内に供給するトイレ用の薬液注出器に関し、薬液を一定量で注出することができる新たな薬液注出器を提案するところにある。
【課題を解決するための手段】
【０００６】
本発明は、薬液の充填空間につながる口部を備える容器本体と、該口部を着脱可能に取り付ける装着部を有し該容器本体を倒立姿勢でもって保持するベースとを備え、該装着部に設けた注出孔から水洗トイレの手洗い付きタンクに薬液を注出する薬液注出器であって、
前記薬液注出器は、前記注出孔を閉鎖する閉塞部を備える栓体と、該栓体を連結保持するとともに手洗いカランから放出される水を受容する水受け皿とを備え、
前記水受け皿は、受容した水を一時的に収容する皿部と、該皿部を貫いて収容した水を排出する開孔とを有し、
前記ベースは、該水受け皿を弾性的に吊り下げ支持する弾性体を備え、
前記弾性体は、該水受け皿の上昇姿勢にて該閉塞部を該注出孔に押し当てる一方、該水受け皿の下降姿勢にて該注出孔を開放して薬液の注出を可能とするものである薬液注出器である。
【０００７】
前記弾性体は、前記ベース及び前記水受け皿のそれぞれに係合する一対の円環部と、該円環部の相互間を連結する弾性部とを備える合成樹脂製であって、
前記弾性部は、該円環部の周面に沿う長円環状部及び該長円環状部と各円環部との相互間をつなぐ対となる縦型連結部からなるフレームを、複数個備えるものが望ましい。
【０００８】
前記水受け皿の底部外周側に、前記注出孔からの薬液を浸透させる吸水体を設け、該吸水体を、前記水受け皿に一体連結するとともに間隔をあけて設けた複数個の爪部で保持することが望ましい。
【発明の効果】
【０００９】
薬液を充填した容器本体を倒立姿勢で保持するベースに、薬液を注出させる注出孔を形成し、また、この注出孔を閉鎖する閉塞部を備える栓体と、この栓体を連結保持するとともに手洗いカランから放出される水を受容する水受け皿とを設け、水受け皿は、受容した水を一時的に収容する皿部と、その皿部を貫いて収容した水を排出する開孔とを備えるものとし、ベースに、水受け皿を弾性的に吊り下げ支持する弾性体を設けたので、水受け皿に収容される水が所定量未満で水受け皿が上昇姿勢にある際には、薬液の注出孔が閉じる一方、所定量以上の水が収容されて水受け皿が下降姿勢にある際には、注出孔が開いて薬液の注出が可能となるので、容器本体内に充填された薬液の液面高さによらず、一定量の薬液を毎回確実に注出させることができる。また、注出する薬液の量は、弾性体の弾性力のみならず、水受け皿に収容される水の量や、収容した水を排出する開孔の大きさ等の複数の因子で調節できるので、所期する量の調整は、変更しやすい部位のみを選択して行えば良く、比較的簡易に行うことができる。
【００１０】
弾性体は、ベース及び水受け皿のそれぞれに係合する一対の円環部と、それらの円環部の相互間を連結する弾性部とを備える合成樹脂製であって、その弾性部は、円環部の周面に沿う長円環状部及びその長円環状部と各円環部との相互間をつなぐ対となる縦型連結部からなるフレームを、複数個備えるものであるとする場合は、同一形状となるフレームでもって同一の弾性力にて水受け皿を安定的に吊り下げ支持することができるので、注出孔の開栓及び閉栓を毎回確実に行うことができる。
【００１１】
通常、注出孔の開口面積は比較的小さく、注出される薬液も比較的狭い範囲に留まるために、水の流れによっては薬液と十分に接触しない懸念があるが、水受け皿の底部外周側に、注出孔からの薬液を浸透させる吸水体を設け、この吸水体を、水受け皿に一体連結するとともに間隔をあけて設けた複数個の爪部で保持する場合は、手洗いカランから放出される水が、爪部間の隙間を通して吸水体に流れ込み、吸水体に浸透した薬液を確実にタンク内に流入させることができる。
【図面の簡単な説明】
【００１２】
【図１】本発明に従う薬液注出器につき、容器本体をベースに取り付ける姿勢で示す断面図である。
【図２】図１のベース周辺を示す拡大図である。
【図３】図１に示す薬液注出器の平面図である。
【図４】図３に示すＡ−Ａに沿う断面図である。
【図５】図１に示す薬液注出器の実施の形態を示す、上下を反転させた倒立姿勢で手洗い付きタンクに載置された断面図である。
【図６】図５に示す薬液注出器に手洗いカランから給水している状態を示す断面図である。
【図７】本発明に従う他の薬液注出器につき、（ａ）は側面図であり、（ｂ）は（ａ）に示すＢ−Ｂに沿う断面図である。
【発明を実施するための形態】
【００１３】
以下、図面を参照して、本発明をより具体的に説明する。
図１は、本発明に従う薬液注出器につき、容器本体をベースに取り付ける姿勢で示す断
面図であって、図２は、図１のベース周辺を示す拡大図であって、図３は、図１に示す薬液注出器の平面図であって、図４は、図３に示すＡ−Ａに沿う断面図であって、図５は、図１に示す薬液注出器の実施の形態を示す、上下を反転させた倒立姿勢で手洗い付きタンクに載置された断面図であって、図６は、図５に示す薬液注出器に手洗いカランから給水している状態を示す断面図である。
【００１４】
図１において、１０は容器本体である。図示の例で容器本体１０は、外側に向けて凸状となり容器本体１０の底壁をなす湾曲壁１１と、湾曲壁１１の縁部を取り囲み内側に傾斜しながら起立する周壁１２と、肩部１３を介して周壁１２に一体連結する口部１４とからなり、これらで区画形成される充填空間Ｍに、芳香剤、洗浄剤、殺菌剤等の各種の薬液を充填している。また、口部１４の外面には、ねじやアンダーカットで形成される結合部１４ａ（図示の例ではねじ）が設けられている。ここで容器本体１０は、薬液の残量が視認できるように、透明又は半透明であることが好ましい。なお、容器本体１０の一部を透明又は半透明にして、この部位を残量確認用窓部として用いてもよい。
【００１５】
２０は、容器本体１０を保持して手洗い付きタンクに載置するベースである。図２に示すようにベース２０は、口部１４を着脱可能に取り付ける装着部２１と、容器本体１０からの薬液を外界に向けて排出する注出孔２２と、タンク上に載置されるベース２０を支持する脚部２３とを備えている。
【００１６】
図示の例で装着部２１は、口部１４の開口を覆う蓋壁２１ａと、蓋壁２１ａの端縁を取り囲む内側周壁２１ｂと、内側周壁２１ｂの下端と一体連結して径方向外側に向けて延在する段部２１ｃと、段部２１ｃの外側端縁から口部１４を取り囲んで垂下される外側周壁２１ｄと、外側周壁２１ｄの下端から径方向外側に延びるフランジ２１ｅとを備えている。フランジ２１ｅの外周側には、後述する弾性体を係合保持する爪部ｔが設けられている。爪部ｔは環状であっても、周方向に間隔をあけて複数個設けたものであってもよい。また、段部２１ｃの内側端縁には、環状のシール壁２１ｆが設けられていて、外側周壁２１ｄの内面には、結合部１４ａに対応する被結合部２１ｇが形成されている。そしてシール壁２１ｆと外側周壁２１ｄの相互間には、パッキンＳが設けられている。これにより、口部１４は、装着部２１に着脱可能に取り付けられ、シール壁２１ｆを口部１４の内面に当接させるとともに口部１４の先端部をパッキンＳに当接させて、充填空間Ｍ内の薬液が口部１４の周囲から漏れ出すことを防止している。
【００１７】
図示の例で注出孔２２は、蓋壁２１ａの表裏を貫く貫通孔であって、注出孔２２の縁部には、蓋壁２１ａから起立する筒体２２ａが設けられている。また蓋壁２１ａには、注出孔２２とは別に貫通する空気置換孔２１ｈを設けてもよい。図示の例では、空気置換孔２１ｈを取り囲んで垂下される嵌合壁２１ｊを設け、空気置換孔２１ｈから湾曲壁１１に向けて延在するパイプｐをこの嵌合壁２１ｊで嵌合保持している。これにより、注出孔２２の開口面積が比較的小さくなる場合や、高い粘度の薬液を用いる場合にも、容器本体１０内に外界からの空気を導入して薬液をスムーズに排出することができる。
【００１８】
また、図示の例で脚部２３は、フランジ２１ｅから起立する板状の脚片２３ａを、図３に示すように、周方向に間隔をあけて複数個（図示の例では、均等間隔で合計６個）配置したものである。
【００１９】
さらに、ベース２０には、手洗いタンクの上方に設けられる手洗いカランから放出される水をタンク内に導く導入口に挿入され、薬液注出器を手洗いタンクの導入口に位置決め保持する位置決め部２４を設けてもよい。図示の例で位置決め部２４は、蓋壁２１ａから立ち上がる複数個の板片２４ａを、図３に示すように周方向に間隔をあけて（図示の例では、均等間隔で合計４個）配置したものである。
【００２０】
３０は、注出孔２２を閉鎖する栓体である。図２に示すように栓体３０は、筒体２２ａの先端及び外周を取り囲み下向き開放形状となる天壁付きの環状部３１と、環状部３１の開口端と連結し蓋壁２１ａに向けて凸となる環状凸部３２と、環状凸部３２の外縁から径方向外側に延在する天板３３と、天板３３の縁部と段部３４を介して連結しベース２０の外側周壁２１ｄを取り囲む環状の周壁３５とを備えている。
【００２１】
環状部３１の天壁には、筒体２２ａの先端開口に当接して注出孔２２を閉鎖する凸状の閉塞部３１ａと、閉塞部３１ａの外周側に設けられ環状部３１の天壁を貫く貫通孔３１ｂを設けている。図３に示す例で貫通孔３１ｂは、周方向に沿って延在する長孔状であって、合計３個形成されている。ここで、図２に示すように環状部３１の周壁内側には、筒体２２ａの外面と摺動可能に当接する凸部３１ｃが設けられている。また、環状凸部３２は、空気置換孔２１ｈと気密に当接している。天板３３には、ベース２０の板片２４ａを挿通させる開口３３ａが形成されていて（図示の例では合計４個）、さらに天板３３の端縁は、後述する水受け皿と連結する係合端３３ｂとなっている。
【００２２】
４０は、手洗いカランから放出される水を受容する水受け皿である。図２に示すように水受け皿４０は、中央開口４１ａを有し栓体３０を覆う円板壁４１ｂと、円板壁４１ｂの外側端縁と連結する環状周壁４１ｃと、環状周壁４１ｃの外周壁と連結する傾斜壁４１ｄとを有し、これら円板壁４１ｂ、環状周壁４１ｃ、傾斜壁４１ｄからなる皿部４１の内側に、区画凹所Ｎを形成している。また、環状周壁４１ｃの外周壁には、後述する弾性体に係合する爪部ｔ’が設けられている。爪部ｔ’は環状であっても、周方向に間隔をあけて複数個設けたものであってもよい。そして、図示の例で円板壁４１ｂには、脚片２３ａを挿通させる開口４１ｅが形成されている（図示の例では合計６個）。さらに傾斜壁４１ｄには、図３に示すように平面視にて半円状となる半円貫通孔４１ｆが、周方向に均等間隔で合計６個設けられている。これにより、手洗いカランから放出される水が皿部４１の区画凹所Ｎに一時的に収容される一方で、中央開口４１ａ、開口４１ｅ、半円貫通孔４１ｆのそれぞれが、収容された水を排出する開孔ｈとして機能する。また、円板壁４１ｂの内面には、係合端３３ｂと係合して栓体３０を連結保持する係合部４２が設けられている。
【００２３】
そして、図４に示すように円板壁４１ｂの内側縁部には、円板壁４１ｂの外側に向けて傾斜しつつ径方向内側に延びる爪部４３が、図３に示すように周方向に間隔をあけて複数個（図示の例では、均等間隔で合計４個）形成されている。また、隣り合う爪部４３の相互間には、円板壁４１ｂの内側縁部から、円板壁４１ｂの延在方向に沿い径方向内側に向けて延在する支持片４４が、図３に示すように周方向に間隔をあけて複数個（図示の例では、均等間隔で合計４個）形成されている。
【００２４】
５０は、ベース２０と水受け皿４０との間に架け渡される弾性体である。図２に示すように弾性体５０は、対となる円環部５１と、これら円環部５１の相互間に配設されて円環部５１同士が近づく向きに弾性力を付与する弾性部５２とからなる。図示の例で円環部５１には、ベース２０の爪部ｔ又は水受け皿４０の爪部ｔ’に係合する環状の内向きフック５１ａが設けられている。また、弾性部５２は、スプリング、ゴム、エラストマー等、各種のものが適用できる。
【００２５】
６０は、薬液や水等を浸透させることができる、例えば発泡材、高分子ポリマー等からなる吸水体である。図２、図３示すように円板状の吸水体６０は、栓体３０の貫通孔３１ｂを覆うとともに水受け皿４０の爪部４３と支持片４４との間で抜け止め保持されていて、ベース２０の板片２４ａを避けて設けられる凹部６１が、周方向に間隔をあけて合計４個形成されている。
【００２６】
上記のように構成される薬液注出器を使用するに当たっては、図５に示すように、薬液注出器を、上下を反転させた倒立姿勢とし、手洗いタンクＴに設けた水の導入口Ｈにベース２０の位置決め部２４を挿入させて、手洗いタンクＴ上に載置する。脚部２３によって支持された薬液注出器は、栓体３０と連結する水受け皿４０が、ベース２０に係合する弾性体５０によって弾性的に吊り下げ支持される。なおこの場合、弾性体５０の付勢力によって、栓体３０の閉塞部３１ａは筒体２２ａに液密に当接し、環状凸部３２は空気置換孔２１ｈに気密に当接しているので、容器本体１０内の薬液は漏れ出すことなく収容されている。
【００２７】
その後、手洗いカランから給水を行うと、放出された水は図６の矢印に示すように、容器本体１０の湾曲壁１１を伝って流れ、その一部は、水受け皿４０に流れ込む。これにより、皿部４１に収納される水によって水受け皿４０が手洗いタンクＴに向けて下降姿勢に変位するため、注出孔２２及び空気置換孔２１ｈが開栓し、貫通孔３１ｂを通過する薬液が水受け皿４０の底部外周側に配設された吸水体６０に浸透する。放出された水は、水受け皿４０の外周側及び水受け皿４０の開孔ｈを通過して導入口Ｈに流れ込むに当たり、その途中で、爪部４３の相互間の隙間を通して吸水体６０に流れ込むので、吸水体６０に浸透した薬液を確実にタンク内に導入させることができる。
【００２８】
しかる後、水受け皿４０内に収容された水は開孔ｈを通して排水されて、水受け皿４０は、図５に示す上昇姿勢に変位して注出孔２２及び空気置換孔２１ｈが閉栓される。これにより、毎回決まった時間注出孔２２が開栓することになるので、一定量の薬液を確実に注出させることができる。
【００２９】
ここで弾性体５０は、図７（ａ）、（ｂ）に示すように、対となる円環部５１及び弾性部５２を一体連結させた合成樹脂製とし、弾性部５２を、複数個のフレーム５３からなる（図示の例では、周方向に均等間隔で合計４個設けている）ものとすることができる。図示の例でフレーム５３は、円環部５１の周面に沿う横長の長円環状部５３ａと、長円環状部５３ａ及び各円環部５１との相互間をつなぐ対となる縦型連結部５３ｂとからなる。これらを一体にして設けたことで、弾性体５０の部材コストの低減、及びベース２０と水受け皿４０との組み立て工数の削減を図ることができる。また、同一形状となるフレーム５３を均等配置しているため、水受け皿４０にかかる弾性力が均等となって安定的に吊り下げ支持することができるので、注出孔の開栓及び閉栓を毎回確実に行うことができる。
【産業上の利用可能性】
【００３０】
本発明によれば、水洗トイレの手洗い付きタンク内に供給される薬液を、毎回確実に一定量で注出することができる薬液注出器を提供できる。
【符号の説明】
【００３１】
１０  容器本体
１４  口部
２０  ベース
２１  装着部
２２  注出孔
３０  栓体
３１ａ  閉塞部
４０  水受け皿
４１  皿部
４３  爪部
５０  弾性体
５１  円環部
５２  弾性部
５３  フレーム
５３ａ  長円環状部
５３ｂ  縦型連結部
６０  吸水体
Ｍ    充填空間
ｈ    開孔
【図１】
0005650605.tif 000002
【図２】
0005650605.tif 000003
【図３】
0005650605.tif 000004
【図４】
0005650605.tif 000005
【図５】
0005650605.tif 000006
【図６】
0005650605.tif 000007
【図７】
0005650605.tif 000008